(57)【要約】【課題】虫の捕獲率を高める一方、粘着シートの交換作業を容易に行うことができる組立式虫捕獲器及びその組立キットを提供する。【解決手段】本発明の組立式虫捕獲器は五角形の横断面形状をなし、五角形の前後のエンド開口（１４）、屋根部材（１８）の下方に左右のサイド開口（２０）、そして、底部材（１６）に装着され、その上に誘引源が配置される粘着シート（３４）を有する。また、本発明の組立キットは、エンド開口（１４）を有する一対の支持他（１０）、屋根部材（１８）及び底部材（１６）を形成する６枚の矩形プレート（１２）からなる。【選択図】図１
2015181385.tif 000002
【特許請求の範囲】
【請求項１】
互いに対向して離間する一方、各々が底辺部並びに左右に上辺部及び下辺部をそれぞれ有した五角形の枠形状をなし、エンド開口をそれぞれ提供する一対の支持体と、
前記一対の支持体における前記底辺部のそれぞれに分離可能に支持され、前記底辺部間に底を形成する底部材と、
前記一対の支持体における左右同一側の上辺部のそれぞれに分離可能に支持され、前記上辺部間に亘って延びる左右の屋根部材と、
前記一対の支持体における左右同一側の下辺部間にそれぞれ確保された左右のサイド開口と、
少なくとも前記底部材の上面に分離可能に固定され、虫を粘着させて捕獲する粘着シートと、
前記粘着シート上に配置された虫の誘引源と
を具備した組立式虫捕獲器。
【請求項２】
前記底部材及び前記屋根部材は前記支持体の離間方向に沿って延びる同一の矩形プレートを複数枚ずつ並置して形成され、前記屋根部材を形成する矩形プレートは前記支持体に該矩形プレートの長手軸線回りに回転可能に支持されている、請求項１に記載の組立式虫捕獲器。
【請求項３】
前記底辺部材及び前記屋根部材はそれぞれ２枚の矩形プレートによって形成されている、請求項２に記載の組立式虫捕獲器。
【請求項４】
前記支持体の左右の上辺部がなす内角は鈍角である、請求項１〜３の何れかに記載の組立式虫捕獲器。
【請求項５】
前記支持体は、前記底辺部の内縁及び前記上辺部の外縁のそれぞれに前記矩形プレートの数に対応した数だけ形成された支持切欠を含み、
前記矩形プレートは本体と、該プレート本体の両端面からそれぞれ突出し、対応する支持切欠に分離可能に支持される２つの嵌合突起を含み、
前記２つの嵌合突起は前記プレート本体の長手軸線上に位置付けられ、前記矩形プレートの回転支持軸を形成する、請求項２〜４の何れかに記載の組立式虫捕獲器。
【請求項６】
前記嵌合突起は、前記支持切欠内に回転可能なネックと、前記プレート本体の前記端面との間にて前記底辺部又は前記上辺部を挟み込むヘッドとを有する、請求項５に記載の組立式虫捕獲器。
【請求項７】
前記請求項1〜６の何れかに記載の一対の支持体、底部材及び左右の屋根部材を含む組立キット。
【発明の詳細な説明】
【技術分野】
【０００１】
本発明は、貯穀害虫や農業害虫等の虫の発生数や発生時期を予察するために使用される組立式虫捕獲器及びその組立キットに関する。
【背景技術】
【０００２】
この種の組立式虫捕獲器には、三角の筒形状をなした捕虫具が知られており（例えば、特許文献１の図１参照）、この公知の捕虫具は本体の底内面に貼り付けられた粘着シートと、本体の天板に配置された虫の誘引剤とを備え、該誘引剤より本体内に誘い込んだ虫を粘着シートに粘着させて捕獲する。
また、三角の筒形状をなし、各側面が回転可能に取り付けられた２枚の側面体からなる組立式虫捕獲器が知られている（特許文献２）。
【先行技術文献】
【特許文献】
【０００３】
【特許文献１】特開平8-26627号公報
【特許文献２】特開2012-231733号公報
【発明の概要】
【発明が解決しようとする課題】
【０００４】
特許文献１の捕虫具はその両端のみに三角の開口を有しているだけであり、捕虫具からの誘引剤の放出部及び捕虫具本体内への虫の進入部が限定されているため、本体内への虫の効果的な誘い込みが難しい。特許文献２の虫捕獲器（三角柱トラップ）は、各側面にて側面体が回転可能ではあるもの、構造上、側面体の可動域は限定され、特許文献１の捕虫具と同様の課題を有する。また、上記捕虫具及び三角柱トラップにおいて、粘着シートの両側縁部は三角柱トラップの角部となる空間的に狭い箇所に位置するので、実質的には粘着シートの中央領域のみしか虫の捕獲に使用されず、三角柱トラップに進入した虫の捕獲率は十分ではない。
更に、三角の開口は開口面積が狭いため、粘着シートが装着された捕虫具及び三角柱トラップの底内面に対し、その全域への手のアクセスを妨げるから、粘着シートの交換作業を難しくし、また、捕虫具や三角柱トラップの維持や捕獲害虫の回収にかかる負担を増大させる。
【０００５】
本発明は上述の事情に基づいてなされたもので、その第１の目的は虫の捕獲率を高めた組立式虫捕獲器及びその組立キットを提供することにある。また、本発明の第２の目的は、粘着シートの交換作業を容易に行うことができる組立式虫捕獲器及びその組立キットを提供することにある。更に、本発明の第３の目的は、捕獲対象の虫の生態及び誘引剤の特性に対応した開口アレンジを容易に達成できる組立式虫捕獲器及びその組立キットを提供することにある。
【課題を解決するための手段】
【０００６】
上述の第１の目的は本発明の組立式虫捕獲器によって達成され、該虫捕獲器は、
互いに対向して離間する一方、各々が底辺部並びに左右に上辺部及び下辺部をそれぞれ有した五角形の枠形状をなし、エンド開口をそれぞれ提供する一対の支持体と、
一対の支持体における底辺部のそれぞれに分離可能に支持され、底辺部間に底を形成する底部材と、
一対の支持体における左右同一側の上辺部のそれぞれに分離可能に支持され、上辺部間に亘って延びる左右の屋根部材と、
一対の支持体における左右同一側の下辺部間にそれぞれ確保された左右のサイド開口と、
少なくとも前記底部材の上面に分離可能に固定され、虫を粘着させて捕獲する粘着シートと、
粘着シート上に配置された虫の誘引源と
を具備する（請求項１）。
【０００７】
上述の本発明の組立式虫捕獲器によれば、一対の支持体のエンド開口のみならず、左右の屋根部材の下方にサイド開口がそれぞれ備えられているので、虫の誘い込み方向が増える一方、これらエンド開口及びサイド開口は虫の進入を許容する開口面積の大幅な増大に寄与する。
また、支持体が五角形をなしていることから、開口面積の広いエンド開口及びサイド開口の双方から手を入れることができ、粘着シートに対するアクセスが容易となる。
【０００８】
例えば、底部材及び屋根部材は支持体の離間方向に沿って延びる同一の矩形プレートを複数枚ずつ並置して形成され、屋根部材を形成する矩形プレートは支持体に該矩形プレートの長手軸線回りに回転可能に支持されている（請求項２）。
このように屋根部材を形成する複数の矩形プレートが回転できれば、矩形プレートを回転させるだけで、虫捕獲器の屋根にも屋根開口を形成でき、開口の多様なアレンジが可能となる。
この場合、底部材及び屋根部材はそれぞれ２枚の矩形プレートによって形成され（請求項３）、支持体の左右の上辺部がなす内角は鈍角であるのが好ましい（請求項４）。
【０００９】
更に、支持体は、底辺部の内縁及び上辺部の外縁のそれぞれに矩形プレートの数に対応した数だけ形成された支持切欠を含み、一方、矩形プレートはプレート本体と、該プレ一本体の両端面からそれぞれ突出し、対応する支持切欠に分離可能に支持される２つの嵌合突起を含み、これら２つの嵌合突起はプレート本体の長手軸線上に位置付けられ、矩形プレートの回転支持軸を形成する（請求項５）。例えば、嵌合突起は、支持切欠内に回転可能なネックと、プレート本体の端面との間にて底辺部又は上辺部を挟み込むヘッドとを有しているのが好ましい（請求項６）。
更に、本発明は上述の一対の支持体、底部材及び左右の屋根部材を含む組立キットをも提供する（請求項７）。
【発明の効果】
【００１０】
請求項１〜７に係る本発明の組立式虫捕獲器及びその組立キットによれば、２つのエンド開口のみならず左右にサイド開口を備えているので、虫の誘い込み方向が増える一方、これら開口全体の開口面積を大きく確保できるので、虫の捕獲に粘着シートの全域を有効に使用でき、高い虫の捕獲率を達成でき（第１の目的）。また、粘着シートにエンド開口及びサイド開口の双方からアクセスできるので、粘着シートの交換作業を容易にする（第２の目的）。
【００１１】
また、屋根部材を形成する矩形プレートが回転可能であれば、虫捕獲器の屋根に屋根開口を形成できるばかりでなく、屋根開口の向きをも容易に調整可能となるから、捕獲対象の虫の生態及び誘引剤の特性に好適した開口のアレンジが可能となる（第３の目的）。
本発明の他の利点は、添付図面及び後述の具体的な実施形態の説明から明らかとなる。
【図面の簡単な説明】
【００１２】
【図１】一実施形態に係る組立式虫捕獲器の概略斜視図である。
【図２】図１の虫捕獲器の概略横断面図である。
【図３】図２の支持体の支持切欠と矩形プレートの嵌合突起との間の係合状態を嵌合突起の横断面にて示した図である。
【図４】図３の係合状態を支持切欠の縦断面にて示した図である。
【図５】矩形プレートの平面図である。
【図６】矩形プレートの一部の縦断面図である。
【図７】粘着シートの平面図である。
【図８】粘着シートの一部の縦断面図である。
【図９】虫捕獲器における開口のアレンジを示し、(A)は基本アレンジ、(B)は変形アレンジ１、(C)は変形アレンジ２である。
【発明を実施するための形態】
【００１３】
図１を参照すれば、本発明に係る一実施形態の組立式虫捕獲器は板状をなす一対の支持体１０と、例えば６枚の同一の矩形プレート１２とによって分離可能に組み立てられる。これら支持体１０及び矩形プレート１２の材質については特に制限されないが、例えば、機械的強度や耐候性に優れたポリプロピレンが挙げられる。本実施形態では、支持体１０及び矩形プレート１２の双方ともポリプロピレンから一体成形されている。
各支持体１０は五角形の枠形状をなし、図２を参照すればより明らかなように、各支持体１０は底辺部１０Bと、この底辺部１０Bの左右にそれぞれ左右対称にして上辺部１０U及び下辺部１０Lを有し、左右の上辺部１０Uがなす内角αは鈍角に設定されている。限定されるものではないが、内角αは100〜120°、好ましくは105〜110°である。本実施形態の場合、内角αは例えば105°に設定されている。
【００１４】
一対の支持体１０は虫捕獲器の前後方向に互いに離間して対向し、虫捕獲器の前後に五角形のエンド開口１４をそれぞれ提供する。
一対の支持体１０の底辺部１０B同士は例えば２枚の矩形プレート１２を介して互いに接続されている。これら矩形プレート１２は虫捕獲器の前後方向（一対の支持体１０の離間方向）に延びる一方、虫捕獲器の幅方向に底辺部１０Bに沿って並置され、互いに協働して虫捕獲器の底部材１６を形成している。底部材１６を形成する矩形プレート１２は支持体１０の対応する底辺部１０Bのそれぞれに分離可能に結合されている。
【００１５】
また、一対の支持体１０の左右同一側の上辺部１０U同士もまたそれぞれ、例えば２枚の矩形プレート１２を介して互いに接続されている。これら矩形プレート１２もまた虫捕獲器の前後方向に延びる一方、対応する側の上辺部１０Uに沿って並置され、互い協働して左右の屋根部材１８をそれぞれ形成している。屋根部材１８を形成する矩形プレート１２もまた支持体１０の対応する上辺部１０Uのそれぞれに分離可能に結合されているが、ここでの結合構成は底部材１６側での結合構成と同一であるので、これらの結合構成については併せて後述する。
なお、矩形プレート１２の幅は適宜選択可能であるが、捕獲した虫を計数するために実体顕微鏡等を用いた検鏡作業効率及び矩形プレート１２自体の強度を考慮すると、好ましくは５〜１５cm、より好ましくは７〜１０cm、更に好ましくは８cmである。
【００１６】
一方、一対の支持体１０の左右同一側の下辺部１０L間には矩形プレート１２が備えられていない。それ故、図１から明らかなように左右の下辺部１０L間はサイド開口２０としてそれぞれ形成され、これらサイド開口２０は底部材１６を含む基準面と対応する側の屋根部材１８の下縁との間にて規定される高さH（図２参照）を有し、この高さHは、虫捕獲器を設置する管理者の手がサイド開口２０を通じて虫捕獲器内に十分に進入可能なサイズに設定されている。限定されるものではないが、高さHは例えば３〜１０cm、好ましくは４〜８cm、更に好ましくは５cmである。
【００１７】
次に、前述の結合構成について以下に説明する。
各支持体１０には虫捕獲器の組立に使用される矩形プレート１２に対応した数だけ支持切欠２２を備えている。即ち、これら支持切欠２２は支持体１０の底辺部１０B及び上辺部１０Uのそれぞれに２個ずつ割り当てられ、対応する辺部にその長さ方向中心位置から所定の距離を存して配置され、ここでの距離は矩形プレート１２の幅の１／２よりも僅かに長い。
【００１８】
本実施形態の場合、図３に示されるように支持切欠２２は対応する辺部１０Xの縁に形成され、ここで、辺部１０Xの「X」は「B」、「U」の何れかを指す。支持切欠２２は辺部Xの縁に開口した溝２４と、この溝２４の内端に連なる円形の孔２６とから形成され、孔２６は辺部１０Xの長手方向に沿う溝２４の幅よりも大きな直径D1を有し、溝２４に部分的にオーバラップした状態で、溝２４に連通している。
【００１９】
ここで、図１，２を参照すれば明らかなように底辺部１０Bの支持切欠２２は、底辺部１０Bの内縁に開口した溝２４を有しているのに対し、上辺部１０Uの支持切欠２２は上辺部１０Uの外縁に開口した溝２４を有する。また、虫捕獲器の前後方向に対向する２つの辺部１０Xに関して、一方の辺部１０Xの各支持切欠２２の孔２６と他方の辺部１０Xの対応する支持切欠２２の孔２６とは同一の軸線上に配置されている。
【００２０】
一方、各矩形プレート１２は図４に示されるようにプレート本体１２Bと、このプレート本体１２Bの両端面にそれぞれ一体に備えられ、対応する支持切欠２２にて支持されるべき嵌合突起２８とを含み、これら嵌合突起２８はプレート本体１２Bの長手軸線上に配置されている。
例えば、嵌合突起２８はプレート本体１２Bの端面から突出するネック２８Nを備え、このネック２８Nは矩形の横断面を有する。即ち、ネック２８Nの厚みTはプレート本体１２Bの厚みにほぼ等しいものの、前述した支持切欠２２の幅W1よりも僅かに小さい。また、ネック２８Nの突出長さは辺部１０Xの厚さよりも若干長い。
【００２１】
また、ネック２８Nの幅W2は支持切欠２２の孔２６の直径D1よりも若干短く、ネック２８Nの横断面でみて、該横断面の対角線の長さは直径D1にほぼ一致する。
更に、嵌合突起２８はネック２８Nの突出端に円形のヘッド２８Hを一体に有する。このヘッド２８Hは直径D1よりも大きな最大外径D2を有し、その先端部はテーパ形状をなしている。
【００２２】
次に、上述した矩形プレート１２の結合手順を以下に説明する。
先ず、矩形プレート１２は、結合すべき辺部１０Xに対して垂直な姿勢にされる。この場合、図３中の２点鎖線に示されるように矩形プレート１２の両ネック２８Nは対応する側の辺部１０にて支持切欠２２内、つまり、その溝２４を通じて孔２６内に差し込み可能となり、これら孔２６内にそれぞれ配置される。
この後、矩形プレート１２がその長手軸線（ネック２８Nの軸線（回転軸線））回りに９０°回転されれば、ネック２８Nは孔２６の内周面に沿って案内されることで、図３に示す実線状態となり、矩形プレート１２は前述したように対応する辺部１０X間にて分離可能に取り付けられる。
【００２３】
この際、図４から明らかなように、辺部１０Xは孔２６よりも大径の嵌合突起２８のヘッド２８Hと矩形プレート１２のプレート本体１２Bの端面との間に挟み込まれているので、矩形プレート１２が辺部１０Xから脱落することはなく、矩形プレート１２は各嵌合突起２８にて、支持切欠２２、つまり、辺部１０Xに回転可能に支持される。
上述したように嵌合突起２８のヘッド２８Hが孔２６よりも大径であっても、ネック２８Nが溝２４を通じて孔２６内に簡単に配置できるから、ヘッド２８Hを縮径させて孔２６に挿通する場合に比べ、支持体１０への矩形プレート１２の取り付けは頗る容易となる。
【００２４】
また、前述したようにネック２８Nの横断面は、孔２６の直径D1にほぼ等しい対角線の長さを有するので、孔２６内をネック２８Nが回転する際、ネック２８Nは孔２６の内周面に対して所定の摩擦抵抗でもって摺接する。それ故、ここでの摩擦抵抗は矩形プレート１２を所望の取付姿勢にて保持する機能を発揮する。
この点、図１，２に示されているように辺部１０Xの長手方向に矩形プレート１２の幅方向が沿う姿勢が矩形プレート１２の通常の取付姿勢である場合、図２に概略的に示すように、辺部１０Xの裏面には、対応する矩形プレート１２の両側縁をそれぞれ挟み込むような微小な半球凸部３０を一体に形成しておくことも有用である。
【００２５】
一方、上述した矩形プレート１２はその表裏の面の何れに対しても粘着シートが装着可能に構成され、ここでの構成に関して以下に説明する。
図５に示されるように、矩形プレート１２のプレート本体１２Bの一方の面にはその両端面側にそれぞれ一対ずつの装着ピン３２aが一体に突出されている。これら合計４つの装着ピン３２aはプレート本体１２Bの長手軸線上の中心Cに対して点対称に配置されている。
【００２６】
一方、プレート本体１２Bの他方の面にも合計４つの装着ピン３２bが一体に突出され、これら装着ピン３２bは装着ピン３２ａに対し、プレート本体１２Bの長手軸線回りに回転対称となるべく配置されている。
図６に示されるように装着ピン３２ａ,３２ｂは同一の形状を有する。即ち、装着ピン３２ａ,３２ｂは円筒形状をなし、その上面の一部がプレート本体１２Bの対応する側の端面に向けて傾斜した斜面に形成されている一方、この斜面の対応した外周部位はプレート本体１２Bから所定の高さに亘って欠落され、それ故、装着ピン３２ａ,３２ｂはその上部が爪形状をなしている。
【００２７】
一方、粘着シート３４は図７に示されている。この図７から明らかなように、粘着シート３４は矩形プレート１２のプレート本体１２よりも若干小さい矩形をなし、粘着シート３４には装着ピン３２a（又は３２b）に対応した装着孔３６がそれぞれ貫通して形成されている。即ち、装着孔３６もまた装着ピン３２a（又は３２b）と同様に点対象に配置されている。
それ故、粘着シート３４の装着孔３６をプレート本体１２Bの一方の面の装着ピン３２（３２a又は３２b）にそれぞれ位置合わせし、装着孔３６に対応する装着ピン３２を根元まで貫通させることで、プレート本体１２Bの一方の面上、即ち、矩形プレート１２に粘着シート３４を装着することができる。
【００２８】
この後、装着された粘着シート３４が矩形プレート１２から不用意に浮き上がるようなことがあっても、粘着シート３４は装着ピン３２の上部が前述した爪形状をなしていることで、矩形プレート１２からの装着シート３４の脱落が防止される。
また、装着ピン３２及び装着孔３６は何れも点対称に配置されているので、粘着シート３４の両端を逆向きにしても、矩形プレート１２に対して粘着シート３４を同様に装着でき、このことは粘着シート３４の装着性を大幅に改善する。
【００２９】
具体的には、粘着シート３４は図８に示されるように、ベース紙３４Bと、このベース紙３４Bの上面に形成された粘着層３４Cと、この粘着層３４Cの上面を覆う剥離紙３４Dとからなり、この剥離紙３４Dは粘着シート３４が矩形プレート１２に装着された後、粘着層３４Cから取り除かれる。ベース紙３４Bの素材については特に制限されないが、ポリプレピン紙や蝋引紙のように粘着シート３４の耐候性を十分に確保できるものが好ましい。
例えば、本実施形態では、粘着シート３４は図１に示されるように前述した底部材１６の内面、即ち、該底部材１６を形成する２枚の矩形プレート１２にそれぞれ装着されている。
【００３０】
更に、虫捕獲器はその内部に誘引源３８が配置される。この誘引源３８は捕獲対象の虫を誘引する効果のある物質ならば特に制限はないが、例えば性フェロモン、集合フェロモン及び食品由来の誘引物質を含むことができる。また、これら誘引物質の形態や誘引物質を納める容器の形態にも特に制限はないが、例えば、基材に誘引物資を塗布又は湿潤させ、揮発により誘引物質を放出させるような形態や、誘引物質が放出される開口や毛細管現象を利用して誘引物質を放出させる形態を有した容器等が挙げられる。
【００３１】
また、通気性を有したパウチと、該パウチ内に収容された誘引剤とからなり、この誘引剤に湿潤させた誘引物質がパウチを通じて放出させる形態であってもよく、誘引物質は例えば捕獲対象の虫に応じた性フェロモンである。
本実施形態では、誘引源３８は底部材１６上の粘着シート３４、即ち、その粘着層３４Cの中央に貼り付けることで（図７参照）、虫捕獲器内に配置される。このように誘引源３８が粘着シート３４に取り付けられれば、虫捕獲器内に誘引源３８のための専用の配置箇所や、配置のための手段を設ける必要はない。
【００３２】
更に、本実施形態の虫捕獲器を吊り下げて設置可能とするため、各支持体１０にはその頂部や、左右の角部に孔４０がそれぞれ形成され、これら孔４０は吊り下げのためのワイヤやフックの挿通に使用される。
上述の一実施形態の虫捕獲器は、支持体１０が五角形であることに起因して、その前後のエンド開口１４のみならず、その左右にもサイド開口２０を備えているので、誘引源３８が放出する誘引成分に誘引された虫は虫捕獲器の前後及び左右のそれぞれから虫捕獲器内に進入でき、虫の誘い込み方向を増やすことができる一方、虫の進入を許容する虫捕獲器全体の開口面積をも大幅に増大可能となる。
【００３３】
しかも、虫捕獲器内に進入する虫は粘着シート３４上の誘引源３８を目掛けて飛翔又這うことから、虫の捕獲に粘着シート３４における粘着層３４Cの全域を使用できるため、虫の捕獲率を向上させることができる。
更に、驚くべきことには、上述の構成を有する５角形の支持体１０において、左右の上辺部１０Uがなす内角αを鈍角とすることで、虫の捕獲率が大幅に向上することが確認された（後述の虫捕獲試験２）。このように本実施形態の虫捕獲器は高い捕獲率を達成することができる。
【００３４】
一方、サイド開口２０は（図２参照）は、虫捕獲器内に管理者の手が差し入れ可能な高さHを有しているので、粘着シート３４の回収や取り換えの際、粘着シート３４に対してエンド開口１４及びサイド開口２０からのアクセス、つまり、手の差し入れが可能となり、粘着シート３４の交換作業のみならず、粘着シート３４上への誘引源３８の配置もまた容易となる。この結果、虫捕獲器の維持管理や、捕獲した虫の回収にかかる負担を大幅に低減可能となる。
【００３５】
ところで、虫捕獲器の開口面積が広くなれば、捕獲された虫を摂食しようとして、小型鳥類等が虫捕獲器内に侵入する可能性が生じる。ここで、本実施形態の虫捕獲器は、支持体１０にて、その左右の上辺部１０Uがなす内角αが鈍角であるため、左右の上辺部１０Uを２辺とする二等辺三角形を考えたとき、該二等辺三角形の底辺は支持体１０の底辺部１０Bよりも長くなる。つまり、五角形の形態をなす虫捕獲器によれば、上方或いは水平方向から虫捕獲器内への小型鳥類の侵入を抑制でき、小型鳥類は虫捕獲器内に侵入し難くなる。その結果、小型鳥類が粘着シート３４に誤ってトラップされる自体を減少させることができる。
【００３６】
また、図２に示されるように屋根部材１８を形成する矩形プレート１２はその長手軸線回りに独立して回転できるから、虫捕獲器の屋根にも屋根開口を確保できるばかりでなく、該屋根開口の向きを矩形プレート１２の回転角に従い任意に設定できる。つまり、本実施形態の虫捕獲器は、捕獲対象の虫の生態及び誘引物質の特性に対応した開口のアレンジを容易に達成することができる。
【００３７】
例えば、図９(A)は虫捕獲器における開口の基本アレンジを示し、この基本アレンジは、図１での場合と同様に前述した一対ずつのエンド及びサイド開口１４，２０を有する。
図９(B),(C)は基本アレンジに対する開口の変形レンジ１，２をそれぞれ示す。
図９(B)の変形アレンジ１では、屋根部材１８を形成する２枚の矩形プレート１２のうち、下側の矩形プレート１２のみが底部材１６と同様に水平姿勢として配置されている。このような変形アレンジ１の虫捕獲器はその屋根に水平方向に開口した屋根開口４２を左右に有する一方、サイド開口２０の高さHを増加させる。
【００３８】
一方、図９(C)の変形アレンジ２では、屋根部材１８を形成する２枚の矩形プレート１２が全て垂直姿勢として配置されている。このような変形アレンジ２の虫捕獲器はその屋根に鉛直方向に開口した３個の屋根開口４４を形成する一方、サイド開口２０の高さHを減少させる。
このように開口のアレンジを変化させることにより、その種類によって拡散範囲や誘引効果等が異なるような如何なる誘引物質にも適切に対応可能となる。例えば、揮発性が低く拡散範囲も狭いフェロモンを誘引物質として使用する場合には、図９(c)の変形アレンジのように虫捕獲器の屋根にも開口を設けることで、誘引物質の拡散方向が増えることで、誘引効果を向上させることができる。
【００３９】
また、開口のアレンジを改変することで、様々な設置場所の条件にも本実施形態の虫捕獲器は対応可能となる。例えば、開口の基本アレンジの場合、屋根部が大きく確保されるため、粘着シート３４への埃等の付着に起因した捕獲効果の低下を防止できる。このように本実施形態の虫捕獲器は、その設置条件を考慮して最適な開口のアレンジを選択することができる。
以上のように本実施形態の虫捕獲器によれば、捕獲対象の虫の生態や誘引物質の種類、設置条件に応じた多様な形態で虫の捕獲が可能となる。
【００４０】
また、本発明は上述の組立式虫捕獲器のための組立キットをも提供する。詳しくは、本発明の組立キットは、前述の［課題を解決するための手段］の欄にて記載された何れかの組立式虫捕獲器（請求項１〜６）の構成要素のうち、粘着シート及び誘引源を除いた構成要素、即ち、一対の支持体、底部材及び左右の屋根部材を含む。
【００４１】
次に、本実施形態の虫捕獲器が高い捕獲率を達成することを検証するため、以下の虫捕獲試験１，２を実施した。
（虫捕獲試験1）:
捕獲対象:シバツトガ
実施例１の虫捕獲器:開口の基本アレンジ且つ105°の内角αを有する図１の虫捕獲器
比較例１の虫捕獲器:正三角形の支持体を備え、周囲の三面が全て２枚の矩形プレート１２で形成された虫捕獲器（例えば、特開2012-231733号の図２参照）
誘引源の誘引剤:シバツトガの雄の性フェロモン（富士フレーバー株式会社製シバツトガ用フェロモン）
【００４２】
試験手順:
(i);実施例１及び比較例１の虫捕獲器をゴルフコースの盛り上がった畔部分に１０ｍの間隔を存したP1,P2位置にそれぞれ三日間設置
(ii);この後、実施例１及び比較例１の虫捕獲器をそれぞれ回収し、捕獲されたシバツトガを個別に計数
(iii);粘着シート及び誘引源を交換した実施例１及び比較例１の虫捕獲器を前回とは逆、即ち、P2,P1位置に三日間設置
(iv);この後、実施例１及び比較例１の虫捕獲器をそれぞれ回収し、捕獲されたシバツトガを個別に計数し、１回の試験手順を終了
(v);(i)〜(iv)の試験手順（２回ずつ計数）を２回繰り返し、実施例１及び比較例１毎に各試験手順での捕獲個体数を集計
【００４３】
ここでの集計結果を以下の表１に示す。
【表１】
2015181385.tif 000003
表１から明らかなように、実施例１の虫捕獲器の捕獲個体数は比較例１の虫捕獲器に比べて多く、このことは、実施例１の五角形の虫捕獲器の捕獲率が比較例１の三角形の虫捕獲器に比べて優れていることを示す。
【００４４】
（虫捕獲試験２:）
捕獲対象:シバツトガ
実施例１の虫捕獲器:前述と同一
比較例１の虫捕獲器:前述と同一
比較例２の虫捕獲器:実施例１とは内角αのみが相違し、この場合の内角αは９０°
誘引源の誘引剤:前述の同一
【００４５】
試験手順:
(i);実施例１及び比較例１，２の虫捕獲器をゴルフコースの盛り上がった畔部分に５ｍの間隔を存したP3,P4,P5位置にそれぞれ三日間設置
(ii);この後、実施例１及び比較例１，２の虫捕獲器をそれぞれ回収し、捕獲されたシバツトガを個別に計数
(iii);粘着シート及び誘引源を交換した実施例１及び比較例１，２の虫捕獲器を前回とは異なる位置にそれぞれ三日間設置
(iv);この後、実施例１及び比較例１，２の虫捕獲器をそれぞれ回収し、捕獲されたシバツトガを個別に計数
(v);(iii),(iv)の操作を繰り返し、実施例１及び比較例１，２の虫捕獲器がP3,P4,P5位置の全てに設置され且つ捕獲したシバツトガが計数されたとき、１回の試験手順を終了。
(vi);(i)〜(v)の試験手順を１０回繰り返し、捕獲したシバツトガの総数を個別に集計
【００４６】
ここでの集計結果を以下の表２に示す。
【表２】
2015181385.tif 000004
表２から明らかなように、実施例1の虫捕獲器（α＝105°）は比較例１，２の虫捕獲器に比べて多くのシバツトガを捕獲し、また、比較例２の虫捕獲器（α＝90°）は比較例１の虫捕獲器（α＝60°）に比べて多くのシバツトガを捕獲している。このことは虫捕獲器における屋根の角度、即ち、内角αが虫の捕獲率に大きく影響することを示し、虫の捕獲率を高めるには、内角αは鈍角であるのが好ましい。
【００４７】
本発明は上述の一実施形態に制約されるものではない。
例えば、粘着シート３４は底部材１６を形成する矩形プレート１２のみならず、屋根部材１８を形成する少なくとも１つの矩形プレートの内面に装着されていてもよい。
また、左右の屋根部材１８は互いに異なる角度で傾斜していてもよい等、種々の変更可能である。
更に、本発明の虫捕獲器が誘引源の選択により、シバツトガ以外の害虫の捕獲に同様に使用できることは言うまでもない。
【符号の説明】
【００４８】
１０          支持体
１２          矩形プレート
１２B         プレート本体
１４          エンド開口
１６          底部材
１８          屋根部材
２２          支持切欠
２８          嵌合突起
２８N         ネック
２８H         ヘッド
３４          粘着シート
３８          誘引源
α            内角
【図１】
2015181385.tif 000005
【図２】
2015181385.tif 000006
【図３】
2015181385.tif 000007
【図４】
2015181385.tif 000008
【図５】
2015181385.tif 000009
【図６】
2015181385.tif 000010
【図７】
2015181385.tif 000011
【図８】
2015181385.tif 000012
【図９】
2015181385.tif 000013